(57)【要約】【課題】ＵＳＢケーブルに対して引き抜く外力が付与された場合にも、ＵＳＢ端子同士の接続が解除されてしまうことを防止する。【解決手段】互いのＵＳＢ端子５０３同士が接続したＵＳＢコネクタ対５０１を収納する下カバー１１１ａを有するカバー対１１１を備える。カバー対１１１の一端側には、収納されたＵＳＢコネクタ対５０１の一端側のＵＳＢコネクタよりも小さい形状を有する第１のケーブル孔１２１が設けられ、カバー対１１１の他端側には第２のケーブル孔１２２が設けられている。また、下カバー１１１ａにおける内壁の両側には、第２のケーブル孔１２２から第１のケーブル孔１２１に向かう方向に斜めに突出し、収納されたＵＳＢコネクタ対５０１に突き当たる長さを有する複数の弁１５１が対向配置されている。【選択図】図４
2010040317.tif 000002
【特許請求の範囲】
【請求項１】
互いのＵＳＢ端子同士が接続したＵＳＢコネクタ対を収納する下カバーと、当該下カバーに収納されたＵＳＢコネクタ対を覆う上カバーと、を有するカバー対と、
前記カバー対の一端側に設けられて前記収納されたＵＳＢコネクタ対の当該一端側のＵＳＢコネクタよりも小さい形状を有する第１のケーブル孔と、
前記カバー対の他端側に設けられた第２のケーブル孔と、
前記下カバーにおける内壁の両側に対向配置されて前記第２のケーブル孔から前記第１のケーブル孔に向かう方向に斜めに突出し、前記収納されたＵＳＢコネクタ対に突き当たる長さを有する複数の弁と、
を備えるＵＳＢコネクタカバー。
【請求項２】
互いのＵＳＢ端子同士が接続したＵＳＢコネクタ対を収納する下カバーと、当該下カバーに収納されたＵＳＢコネクタ対を覆う上カバーと、を有するカバー対と、
前記カバー対の一端側に設けられた第１のケーブル孔と、
前記カバー対の他端側に設けられた第２のケーブル孔と、
前記下カバーにおける前記第１のケーブル孔側の内壁の両側に対向配置されて前記第１のケーブル孔から前記第２のケーブル孔に向かう方向に斜めに突出し、前記収納されたＵＳＢコネクタ対に突き当たる長さを有する複数の第１の弁と、
前記下カバーにおける前記第２のケーブル孔側の内壁の両側に対向配置されて前記第２のケーブル孔から前記第１のケーブル孔に向かう方向に斜めに突出し、前記収納されたＵＳＢコネクタ対に突き当たる長さを有する複数の第２の弁と、
を備えるＵＳＢコネクタカバー。
【請求項３】
互いのＵＳＢ端子同士が接続したＵＳＢコネクタ対の一側を収納する第１のサイドカバーと、当該ＵＳＢコネクタ対の他側を収納する第２のサイドカバーと、を有するカバー対と、
前記カバー対の一端側に設けられて前記収納されたＵＳＢコネクタ対の当該一端側のＵＳＢコネクタよりも小さい形状を有する第１のケーブル孔と、
前記カバー対の他端側に設けられた第２のケーブル孔と、
前記カバー対における内壁の両側に対向配置されて前記第２のケーブル孔から前記第１のケーブル孔に向かう方向に斜めに突出し、前記収納されたＵＳＢコネクタ対に突き当たる長さを有する複数の弁と、
を備えるＵＳＢコネクタカバー。
【請求項４】
互いのＵＳＢ端子同士が接続したＵＳＢコネクタ対の一側を収納する第１のサイドカバーと、当該ＵＳＢコネクタ対の他側を収納する第２のサイドカバーと、を有するカバー対と、
前記カバー対の一端側に設けられた第１のケーブル孔と、
前記カバー対の他端側に設けられた第２のケーブル孔と、
前記カバー対における前記第１のケーブル孔側の内壁の両側に対向配置されて前記第１のケーブル孔から前記第２のケーブル孔に向かう方向に斜めに突出し、前記収納されたＵＳＢコネクタ対に突き当たる長さを有する複数の第１の弁と、
前記カバー対における前記第２のケーブル孔側の内壁の両側に対向配置されて前記第２のケーブル孔から前記第１のケーブル孔に向かう方向に斜めに突出し、前記収納されたＵＳＢコネクタ対に突き当たる長さを有する複数の第２の弁と、
を備えるＵＳＢコネクタカバー。
【発明の詳細な説明】
【技術分野】
【０００１】
本発明は、互いのＵＳＢ端子が接続したＵＳＢコネクタ対を収納するＵＳＢコネクタカバーに関する。
【背景技術】
【０００２】
従来、例えば特許文献１に示すように、コネクタ同士の接続部分を密閉するカバーがある。このようなカバーによれば、コネクタ同士の接続部分は外部から遮断されるので、コネクタの金属端子は埃等から保護される。
【０００３】
【特許文献１】特開平７−１９３９６４号公報
【発明の開示】
【発明が解決しようとする課題】
【０００４】
ところで、ＵＳＢ（Ｕｎｉｖｅｒｓａｌ  Ｓｅｒｉａｌ  Ｂｕｓ）機器を延長ケーブル等を介して使用するような場合、機器と延長ケーブルとのＵＳＢコネクタ同士を接続させることがある。この場合、一方のＵＳＢコネクタが有するオスＵＳＢ端子を、他方のＵＳＢコネクタが有するメスＵＳＢ端子に差し込むことになる。これにより、一対のＵＳＢコネクタ（ＵＳＢコネクタ対）は、互いのＵＳＢ端子が接続した接続状態となる。
【０００５】
しかしながら、ＵＳＢコネクタ対は、その接続状態をロックする機構を備えていないため、一方のＵＳＢコネクタに接続するＵＳＢケーブルが引っ張られた場合には、一方のＵＳＢ端子は他方のＵＳＢ端子に対して容易に引き抜かれてしまう。
【０００６】
特許文献１に記載されたカバーは、コネクタ同士の接続をロックするものではないため、特許文献１に記載のカバーを採用しても、ＵＳＢケーブルに引き抜き方向の外力が付与された場合にはＵＳＢ端子同士の接続は解除されてしまう。
【０００７】
本発明の目的は、ＵＳＢケーブルに対して引き抜く外力が付与された場合にも、ＵＳＢ端子同士の接続が解除されてしまうことを防止することである。
【課題を解決するための手段】
【０００８】
本発明のＵＳＢコネクタカバーは、互いのＵＳＢ端子同士が接続したＵＳＢコネクタ対を収納する下カバーと、当該下カバーに収納されたＵＳＢコネクタ対を覆う上カバーと、を有するカバー対と、前記カバー対の一端側に設けられて前記収納されたＵＳＢコネクタ対の当該一端側のＵＳＢコネクタよりも小さい形状を有する第１のケーブル孔と、前記カバー対の他端側に設けられた第２のケーブル孔と、前記下カバーにおける内壁の両側に対向配置されて前記第２のケーブル孔から前記第１のケーブル孔に向かう方向に斜めに突出し、前記収納されたＵＳＢコネクタ対に突き当たる長さを有する複数の弁と、を備える。
【０００９】
別の面から見た本発明のＵＳＢコネクタカバーは、互いのＵＳＢ端子同士が接続したＵＳＢコネクタ対を収納する下カバーと、当該下カバーに収納されたＵＳＢコネクタ対を覆う上カバーと、を有するカバー対と、前記カバー対の一端側に設けられた第１のケーブル孔と、前記カバー対の他端側に設けられた第２のケーブル孔と、前記下カバーにおける前記第１のケーブル孔側の内壁の両側に対向配置されて前記第１のケーブル孔から前記第２のケーブル孔に向かう方向に斜めに突出し、前記収納されたＵＳＢコネクタ対に突き当たる長さを有する複数の第１の弁と、前記下カバーにおける前記第２のケーブル孔側の内壁の両側に対向配置されて前記第２のケーブル孔から前記第１のケーブル孔に向かう方向に斜めに突出し、前記収納されたＵＳＢコネクタ対に突き当たる長さを有する複数の第２の弁と、を備える。
【００１０】
さらに別の面から見た本発明のＵＳＢコネクタカバーは、互いのＵＳＢ端子同士が接続したＵＳＢコネクタ対の一側を収納する第１のサイドカバーと、当該ＵＳＢコネクタ対の他側を収納する第２のサイドカバーと、を有するカバー対と、前記カバー対の一端側に設けられて前記収納されたＵＳＢコネクタ対の当該一端側のＵＳＢコネクタよりも小さい形状を有する第１のケーブル孔と、前記カバー対の他端側に設けられた第２のケーブル孔と、前記カバー対における内壁の両側に対向配置されて前記第２のケーブル孔から前記第１のケーブル孔に向かう方向に斜めに突出し、前記収納されたＵＳＢコネクタ対に突き当たる長さを有する複数の弁と、を備える。
【００１１】
さらに別の面から見た本発明のＵＳＢコネクタカバーは、互いのＵＳＢ端子同士が接続したＵＳＢコネクタ対の一側を収納する第１のサイドカバーと、当該ＵＳＢコネクタ対の他側を収納する第２のサイドカバーと、を有するカバー対と、前記カバー対の一端側に設けられた第１のケーブル孔と、前記カバー対の他端側に設けられた第２のケーブル孔と、前記カバー対における前記第１のケーブル孔側の内壁の両側に対向配置されて前記第１のケーブル孔から前記第２のケーブル孔に向かう方向に斜めに突出し、前記収納されたＵＳＢコネクタ対に突き当たる長さを有する複数の第１の弁と、前記カバー対における前記第２のケーブル孔側の内壁の両側に対向配置されて前記第２のケーブル孔から前記第１のケーブル孔に向かう方向に斜めに突出し、前記収納されたＵＳＢコネクタ対に突き当たる長さを有する複数の第２の弁と、を備える。
【発明の効果】
【００１２】
本発明によれば、収納されたＵＳＢコネクタ対の移動が規制されるため、ＵＳＢケーブルに対して引き抜く外力が付与されても、ＵＳＢ端子同士の接続が解除されてしまうことが防止される。
【発明を実施するための最良の形態】
【００１３】
［第１の実施形態］
本発明の第１の実施形態について図１ないし図４に基づいて説明する。
【００１４】
図１は、第１の実施形態のＵＳＢコネクタカバー１０１を示す斜視図である。ＵＳＢコネクタカバー１０１は、一方向に長い円筒形状のカバー対１１１を主体に構成されている。カバー対１１１の両端は、先細り形状を有している。カバー対１１１における先細りした両端からは、ＵＳＢケーブル５０２が外部に導き出されている。つまり、カバー対１１１の内部には互いのＵＳＢ端子５０３（図２参照）が接続したＵＳＢコネクタ対５０１（図２参照）が収納されており、この収納されたＵＳＢコネクタ対５０１から延出するＵＳＢケーブル５０２が、カバー対１１１の両端から導き出されている。
【００１５】
図２は、ＵＳＢコネクタ対５０１を示す斜視図である。図２では、互いのＵＳＢ端子５０３の接続が解除された状態のＵＳＢコネクタ対５０１を示している。
【００１６】
ＵＳＢコネクタ対５０１を構成する一方のＵＳＢコネクタは、一方向に長い薄型のオス側ＵＳＢコネクタ５０１ａである。オス側ＵＳＢコネクタ５０１ａは、凸状のＵＳＢ端子５０３であるオスＵＳＢ端子５０３ａを有する。オス側ＵＳＢコネクタ５０１ａにおけるオスＵＳＢ端子５０３ａとは反対側の位置には、ＵＳＢケーブル５０２であるオス側ＵＳＢケーブル５０２ａが接続されている。
【００１７】
ＵＳＢコネクタ対５０１を構成する他方のＵＳＢコネクタは、オス側ＵＳＢコネクタ５０１ａと同様に一方向に長い薄型のメス側ＵＳＢコネクタ５０１ｂである。メス側ＵＳＢコネクタ５０１ｂは、凹状のＵＳＢ端子５０３であるメスＵＳＢ端子５０３ｂを内包する。メス側ＵＳＢコネクタ５０１ｂにおけるメスＵＳＢ端子５０３ｂとは反対側の位置には、ＵＳＢケーブル５０２であるメス側ＵＳＢケーブル５０２ｂが接続されている。
【００１８】
オスＵＳＢ端子５０３ａがメスＵＳＢ端子５０３ｂに差し込まれることにより、ＵＳＢコネクタ対５０１は、互いのＵＳＢ端子５０３が接続した接続状態となる。
【００１９】
ここで、ＵＳＢコネクタ対５０１は、ＵＳＢ端子５０３の接続状態をロックする機構を何ら備えていない。そのため、オスＵＳＢ端子５０３ａがメスＵＳＢ端子５０３ｂに差し込まれた状態（互いのＵＳＢ端子５０３が接続した状態）で、一方のＵＳＢケーブル５０２に対して抜き方向の外力が付与された場合には、ＵＳＢ端子５０３の接続状態は容易に解除される。
【００２０】
図１の説明に戻る。カバー対１１１に収納されたＵＳＢコネクタ対５０１のＵＳＢケーブル５０２を導き出すために、カバー対１１１の一端には、ＵＳＢケーブル５０２よりも僅かに大径形状を有する貫通孔である第１のケーブル孔１２１が設けられている。また、カバー対１１１の他端には、同じくＵＳＢケーブル５０２よりも僅かに大径形状を有する貫通孔である第２のケーブル孔１２２（図４参照）が設けられている。
【００２１】
このようなカバー対１１１は、カバー対１１１の下半体をなす下カバー１１１ａと、カバー対１１１の上半体をなす上カバー１１１ｂとによって構成されている。下カバー１１１ａと上カバー１１１ｂとは、いずれも樹脂製である。
【００２２】
上カバー１１１ｂは、一側（図１中奥側）を支点側として、下カバー１１１ａに対して開閉自在に設けられている（図３参照）。図１では、上カバー１１１ｂは下カバー１１１ａに対して閉じられて、カバー対１１１は閉状態となっている。
【００２３】
ここで、カバー対１１１の他側（図１中手前側）には、カバー対１１１の閉状態を解除自在にロックするロック機構１４１が設けられている。図１に示すカバー対１１１は、ロック機構１４１によって閉状態がロックされている。
【００２４】
ロック機構１４１は、上カバー１１１ｂに一体に設けられたロック爪１４１ｂと、下カバー１１１ａに一体に設けられてロック爪１４１ｂが差し込まれるフレーム状の爪差込部１４１ａとを有している。上カバー１１１ｂが下カバー１１１ａに対して閉じられて、ロック爪１４１ｂが爪差込部１４１ａに差し込まれて引っ掛かることにより、カバー対１１１の閉状態がロックされる。
【００２５】
爪差込部１４１ａに差し込まれた状態のロック爪１４１ｂをカバー対１１１に対して押圧すると、ロック爪１４１ｂの爪差込部１４１ａに対する引っ掛かりは解除されて、ロック爪１４１ｂは爪差込部１４１ａから引き抜き自在となる。この状態で、上カバー１１１ｂにおけるロック爪１４１ｂ側を持ち上げると、上カバー１１１ｂは下カバー１１１ａに対して開き、カバー対１１１は開状態となる。
【００２６】
図３は、カバー対１１１が開状態である第１の実施形態のＵＳＢコネクタカバー１０１を示す斜視図である。上カバー１１１ｂが下カバー１１１ａに対して開かれているため、カバー対１１１が収納するＵＳＢコネクタ対５０１が外部に露出している。図３に示すように、第１の実施形態では、ＵＳＢコネクタ対５０１は、カバー対１１１の下カバー１１１ａに収納される。そして、カバー対１１１が閉状態となることで、上カバー１１１ｂは、下カバー１１１ａに収納されたＵＳＢコネクタ対５０１を覆い隠す（図１参照）。
【００２７】
下カバー１１１ａの一端側には、第１のケーブル孔１２１の一部を形成するＵ字形状の溝１２１ａが設けられ、上カバー１１１ｂの一端側にも、第１のケーブル孔１２１の残りの一部を形成するＵ字形状の溝１２１ｂが設けられている。同様に、下カバー１１１ａの他端側には、第２のケーブル孔１２２の一部を形成するＵ字形状の溝１２２ａが設けられ、上カバー１１１ｂの他端側にも、第２のケーブル孔１２２の残りの一部を形成するＵ字形状の溝１２２ｂが設けられている。
【００２８】
図３に示すように、下カバー１１１ａにＵＳＢコネクタ対５０１が収納された状態では、オス側ＵＳＢケーブル５０２ａが第１のケーブル孔１２１を形成する溝１２１ａによって支持され、メス側ＵＳＢケーブル５０２ｂが第２のケーブル孔１２２を形成する溝１２２ａによって支持される。
【００２９】
そして、第１の実施形態では、ＵＳＢコネクタ対５０１を収納する下カバー１１１ａには、図３では省略して示している弁１５１（図４参照）が設けられている。
【００３０】
図４は、第１の実施形態の下カバー１１１ａを示す平面図である。図４では、下カバー１１１ａにＵＳＢコネクタ対５０１が収納された状態を示している。
【００３１】
図４に示すように、ＵＳＢケーブル５０２よりも大径形状を有する第１のケーブル孔１２１は、ＵＳＢコネクタ対５０１（オス側ＵＳＢコネクタ５０１ａ）の幅よりも狭い径を有する。同様に、ＵＳＢケーブル５０２よりも大径形状を有する第２のケーブル孔１２２も、ＵＳＢコネクタ対５０１（メス側ＵＳＢコネクタ５０１ｂ）の幅よりも狭い径を有する。前述したように、下カバー１１１ａに収納されるＵＳＢコネクタ対５０１は、そのＵＳＢケーブル５０２が溝１２１ａと溝１２２ａとによって支持される。
【００３２】
ここで重要なことは、図４に示すように、第１の実施形態では、ＵＳＢコネクタ対５０１を、オス側ＵＳＢコネクタ５０１ａとオス側ＵＳＢケーブル５０２ａとの接続部分を第１のケーブル孔１２１に位置付けて、下カバー１１１ａに収納することである。
【００３３】
次に、弁１５１について説明する。図４に示すように、下カバー１１１ａの内壁の両側には、複数枚の弁１５１が対向配置して設けられている。弁１５１は、一方向に長い樹脂製の板状部材であり、一端（固定端１５１ａ）が下カバー１１１ａの内壁に固定的に取り付けられている。弁１５１は、下カバー１１１ａに一体に設けられていても良い。弁１５１の他端（自由端１５１ｂ）は、下カバー１１１ａの中央空間に至っている。下カバー１１１ａの中央空間を介して対向する弁１５１の自由端１５１ｂ同士の距離は、ＵＳＢケーブル５０２の太さと同程度の距離である。そして、いずれの弁１５１についても、第２のケーブル孔１２２から第１のケーブル孔１２１に向かう方向に、自由端１５１ｂ側を傾斜させて設けられている。
【００３４】
つまり、弁１５１は、第２のケーブル孔１２２から第１のケーブル孔１２１に向かう方向に斜めに突出している。そのため、弁１５１の傾斜を戻す方向（第１のケーブル孔１２１から第２のケーブル孔１２２に向かう方向）の力が自由端１５１ｂに付与された場合にも、弁１５１自体が突っ張り棒の役割を果たし、弁１５１は、第２のケーブル孔１２２に向かう方向に倒れず、変位はしない。
【００３５】
下カバー１１１ａに収納されるＵＳＢコネクタ対５０１は、対向する弁１５１の間に位置付けられる。このとき、弁１５１の自由端１５１ｂ同士の距離はＵＳＢケーブル５０２の太さと同程度であり、かつ、ＵＳＢコネクタ対５０１はＵＳＢケーブル５０２よりも幅広である。そのため、図４に示すように、収納されるＵＳＢコネクタ対５０１に対して両側に位置する弁１５１は突き当たり、弁１５１の自由端１５１ｂは湾曲してＵＳＢコネクタ対５０１に対して面接触する。これにより、弁１５１は反発力を蓄積する。そして、蓄積される反発力により、弁１５１は面接触する自由端１５１ｂでＵＳＢコネクタ対５０１を押圧する。
【００３６】
このように弁１５１に挟みこまれて下カバー１１１ａに収納されたＵＳＢコネクタ対５０１に対して、第１のケーブル孔１２１から第２のケーブル孔１２２に向かう方向（図４中右方向）の外力を付与しても、ＵＳＢコネクタ対５０１は弁１５１によって両側から押圧されており、さらに、押圧する両側の弁１５１は第２のケーブル孔１２２に向かう方向へ変位しないため、ＵＳＢコネクタ対５０１は第２のケーブル孔１２２に向かう方向へは移動しない。
【００３７】
このような構成において、オス側ＵＳＢケーブル５０２ａに対して引き抜く方向（図４中左方向）の外力が付与された場合について説明する。この場合、オス側ＵＳＢコネクタ５０１ａは第１のケーブル孔１２１の方向に移動しようとする。しかし、第１のケーブル孔１２１がＵＳＢコネクタ対５０１の幅よりも狭い径であるため、オス側ＵＳＢコネクタ５０１ａは、カバー対１１１における第１のケーブル孔１２１の周囲部分が当接することによって、第１のケーブル孔１２１側への移動が規制される。オス側ＵＳＢコネクタ５０１ａの移動規制がなされるため、オスＵＳＢ端子５０３ａが差し込まれていたメスＵＳＢ端子５０３ｂ（図２参照）から抜けてしまうことが防止される。
【００３８】
また、このような構成において、メス側ＵＳＢケーブル５０２ｂに対して引き抜く方向（図４中右方向）の外力が付与された場合について説明する。この場合、メス側ＵＳＢコネクタ５０１ｂは第２のケーブル孔１２２に向かう方向に移動しようとする。しかし、メス側ＵＳＢコネクタ５０１ｂは、弁１５１によって第２のケーブル孔１２２に向かう方向（図４中左から右に向かう方向）の移動が規制されている。そのため、メス側ＵＳＢコネクタ５０１ｂは移動がなされず、メスＵＳＢ端子５０３ｂ（図２参照）がオスＵＳＢ端子５０３ａに対して抜けてしまうことが防止される。
【００３９】
［第２の実施形態］
本発明の第２の実施形態について図５に基づいて説明する。図１ないし図４に基づいて説明した第１の実施形態と同一の部分は同一の符号で示し、説明も省略する。
【００４０】
図５は、第２の実施形態の下カバー１１１ａを示す平面図である。図５に示すように、下カバー１１１ａの内壁の両側における第１のケーブル孔１２１側には、複数枚の第１の弁２５１が対向配置して設けられている。第１の弁２５１は、一方向に長い樹脂製の板状部材であり、一端（固定端２５１ａ）が下カバー１１１ａの内壁に固定的に取り付けられている。第１の弁２５１の他端（自由端２５１ｂ）は、下カバー１１１ａの中央空間に至っている。自由端２５１ｂ同士の距離は、ＵＳＢケーブル５０２の太さと同程度の距離である。第１の弁２５１は、第１のケーブル孔１２１から第２のケーブル孔１２２に向かう方向に、自由端２５１ｂ側を傾斜させて設けられている。つまり、第１の弁２５１は、第１のケーブル孔１２１から第２のケーブル孔１２２に向かう方向に斜めに突出している。そのため、第１の弁２５１の傾斜を戻す方向（第２のケーブル孔１２２から第１のケーブル孔１２１に向かう方向）の力が自由端２５１ｂに付与された場合にも、第１の弁２５１自体が突っ張り棒の役割を果たし、第１の弁２５１は、第１のケーブル孔１２１に向かう方向に倒れず、変位はしない。
【００４１】
また、図５に示すように、下カバー１１１ａの内壁の両側における第２のケーブル孔１２２側には、複数枚の第２の弁２６１が対向配置して設けられている。第２の弁２６１は、一方向に長い樹脂製の板状部材であり、一端（固定端２６１ａ）が下カバー１１１ａの内壁に固定的に取り付けられている。第２の弁２６１の他端（自由端２６１ｂ）は、下カバー１１１ａの中央空間に至っている。自由端２６１ｂ同士の距離は、ＵＳＢケーブル５０２の太さと同程度の距離である。第２の弁２６１は、第２のケーブル孔１２２から第１のケーブル孔１２１に向かう方向に、自由端２６１ｂ側を傾斜させて設けられている。つまり、第２の弁２６１は、第２のケーブル孔１２２から第１のケーブル孔１２１に向かう方向に斜めに突出している。そのため、第２の弁２６１の傾斜を戻す方向（第１のケーブル孔１２１から第２のケーブル孔１２２に向かう方向）の力が第２の弁２６１に付与された場合にも、第２の弁２６１自体が突っ張り棒の役割を果たし、第２の弁２６１は、第２のケーブル孔１２２に向かう方向に倒れず、変位はしない。
【００４２】
ここで重要なことは、図５に示すように、第２の実施形態では、ＵＳＢコネクタ対５０１を、オス側ＵＳＢコネクタ５０１ａを対向する第１の弁２５１の間に位置付け、メス側ＵＳＢコネクタ５０１ｂを対向する第２の弁２６１の間に位置付けて、下カバー１１１ａに収納することである。
【００４３】
そして、図５に示すように、収納されるＵＳＢコネクタ対５０１に対して両側に位置する第１の弁２５１、第２の弁２６１は突き当たり、自由端２５１ｂ、自由端２６１ｂは湾曲してＵＳＢコネクタ対５０１に対して面接触する。これにより、第１の弁２５１、第２の弁２６１は反発力を蓄積し、ＵＳＢコネクタ対５０１を押圧する。そこで、オス側ＵＳＢコネクタ５０１ａに対して、第２のケーブル孔１２２から第１のケーブル孔１２１に向かう方向（図５中左方向）の外力を付与しても、押圧する第１の弁２５１は変位せず、オス側ＵＳＢコネクタ５０１ａは第１のケーブル孔１２１に向かう方向へは移動しない。同様に、メス側ＵＳＢコネクタ５０１ｂに対して、第１のケーブル孔１２１から第２のケーブル孔１２２に向かう方向（図５中右方向）の外力を付与しても、押圧する第２の弁２６１は変位せず、メス側ＵＳＢコネクタ５０１ｂは第２のケーブル孔１２２に向かう方向へは移動しない。
【００４４】
このような構成において、オス側ＵＳＢケーブル５０２ａに対して引き抜く方向の外力が付与された場合、オス側ＵＳＢコネクタ５０１ａは移動が規制されているため、差し込まれていたオスＵＳＢ端子５０３ａがメスＵＳＢ端子５０３ｂ（図２参照）から抜けてしまうことが防止される。また、メス側ＵＳＢケーブル５０２ｂに対して引き抜く方向の外力が付与された場合、メス側ＵＳＢコネクタ５０１ｂは移動規制されているため、メスＵＳＢ端子５０３ｂ（図２参照）がオスＵＳＢ端子５０３ａに対して抜けてしまうことが防止される。
【００４５】
［第３の実施形態］
本発明の第３の実施形態について図６及び図７に基づいて説明する。図１ないし図５に基づいて説明した他の実施形態と同一の部分は同一の符号で示し、説明も省略する。
【００４６】
図６は、第３の実施形態のＵＳＢコネクタカバー１０１を示す斜視図である。第３の実施形態におけるＵＳＢコネクタカバー１０１が有するカバー対３１１は、カバー対３１１の一側の半体をなす第１のサイドカバー３１１ａと、カバー対３１１の他側の半体をなす第２のサイドカバー３１１ｂとによって構成されている。第１のサイドカバー３１１ａと第２のサイドカバー３１１ｂとは、いずれも樹脂製である。
【００４７】
図７は、第３の実施形態における図６のＡ−Ａ線断面図である。第３の実施形態は、第１の実施形態と比較して、弁１５１が設けられている位置が相違している。つまり、第３の実施形態では、弁１５１が第１のサイドカバー３１１ａと第２のサイドカバー３１１ｂとに設けられている。
【００４８】
第３の実施形態で、ＵＳＢコネクタ対５０１をカバー対３１１に収納する場合について説明する。まず、カバー対３１１を開状態にしたならば、ＵＳＢコネクタ対５０１の両側を第１のサイドカバー３１１ａと第２のサイドカバー３１１ｂとで挟むようにしてカバー対３１１を閉状態にし、ロック機構１４１（図６参照）に閉状態をロックさせる。ここで重要なことは、第３の実施形態では、ＵＳＢコネクタ対５０１を、オス側ＵＳＢコネクタ５０１ａとオス側ＵＳＢケーブル５０２ａとの接続部分を第１のケーブル孔１２１に位置付けて、カバー対３１１に収納することである。
【００４９】
そして、図７に示すように、収納されるＵＳＢコネクタ対５０１に対して両側に位置する弁１５１は突き当たり、自由端１５１ｂは湾曲してＵＳＢコネクタ対５０１に対して面接触する。これにより、弁１５１は反発力を蓄積し、ＵＳＢコネクタ対５０１を押圧する。このとき、メス側ＵＳＢコネクタ５０１ｂに対して、第１のケーブル孔１２１から第２のケーブル孔１２２に向かう方向（図７中右方向）の外力を付与しても、押圧する弁１５１は変位せず、メス側ＵＳＢコネクタ５０１ｂは第２のケーブル孔１２２に向かう方向へは移動しない。
【００５０】
第３の実施形態においても、オス側ＵＳＢケーブル５０２ａに対して引き抜く方向（図７中左方向）の外力が付与された場合、オス側ＵＳＢコネクタ５０１ａは、カバー対３１１における第１のケーブル孔１２１の周囲部分が当接することによって、第１のケーブル孔１２１側への移動が規制されるため、オスＵＳＢ端子５０３ａが差し込まれていたメスＵＳＢ端子５０３ｂ（図２参照）から抜けてしまうことが防止される。また、メス側ＵＳＢケーブル５０２ｂに対して引き抜く方向（図７中右方向）の外力が付与された場合、メス側ＵＳＢコネクタ５０１ｂは、弁１５１によって第２のケーブル孔１２２に向かう方向（図７中左から右に向かう方向）の移動が規制されているため、メスＵＳＢ端子５０３ｂ（図２参照）がオスＵＳＢ端子５０３ａに対して抜けてしまうことが防止される。
【００５１】
［第４の実施形態］
本発明の第４の実施形態について図８に基づいて説明する。図１ないし図７に基づいて説明した他の実施形態と同一の部分は同一の符号で示し、説明も省略する。
【００５２】
図８は、第４の実施形態における図６のＡ−Ａ線断面図である。第４の実施形態は、第２の実施形態と比較して、第１の弁２５１及び第２の弁２６１が設けられている位置が相違している。つまり、第４の実施形態では、第１の弁２５１及び第２の弁２６１が第１のサイドカバー３１１ａと第２のサイドカバー３１１ｂとに設けられている。
【００５３】
ここで重要なことは、図８に示すように、第４の実施形態では、ＵＳＢコネクタ対５０１をカバー対３１１に収納する際、オス側ＵＳＢコネクタ５０１ａを対向する第１の弁２５１の間に位置付け、メス側ＵＳＢコネクタ５０１ｂを対向する第２の弁２６１の間に位置付けることである。
【００５４】
第４の実施形態においても、オス側ＵＳＢケーブル５０２ａに対して引き抜く方向の外力が付与された場合、オス側ＵＳＢコネクタ５０１ａは移動が規制されているため、差し込まれていたオスＵＳＢ端子５０３ａがメスＵＳＢ端子５０３ｂ（図２参照）から抜けてしまうことが防止される。また、メス側ＵＳＢケーブル５０２ｂに対して引き抜く方向の外力が付与された場合、メス側ＵＳＢコネクタ５０１ｂは移動規制されているため、メスＵＳＢ端子５０３ｂ（図２参照）がオスＵＳＢ端子５０３ａに対して抜けてしまうことが防止される。
【００５５】
また、いずれの実施形態であっても、樹脂製である弁１５１（第１の弁２５１、第２の弁２６１）は柔軟性を有するため、オス側ＵＳＢコネクタ５０１ａ又はメス側ＵＳＢコネクタ５０１ｂの形状によらず、ＵＳＢコネクタ対５０１を収納することができる。
【図面の簡単な説明】
【００５６】
【図１】第１の実施形態のＵＳＢコネクタカバーを示す斜視図である。
【図２】ＵＳＢコネクタ対を示す斜視図である。
【図３】カバー対が開状態である第１の実施形態のＵＳＢコネクタカバーを示す斜視図である。
【図４】第１の実施形態の下カバーを示す平面図である。
【図５】第２の実施形態の下カバーを示す平面図である。
【図６】第３の実施形態のＵＳＢコネクタカバーを示す斜視図である。
【図７】第３の実施形態における図６のＡ−Ａ線断面図である。
【図８】第４の実施形態における図６のＡ−Ａ線断面図である。
【符号の説明】
【００５７】
１０１…ＵＳＢコネクタカバー、１１１…カバー対、１１１ａ…下カバー、１１１ｂ…上カバー、１２１…第１のケーブル孔、１２２…第２のケーブル孔、１５１…弁、２５１…第１の弁、２６１…第２の弁、３１１…カバー対、３１１ａ…第１のサイドカバー、３１１ｂ…第２のサイドカバー、５０１…ＵＳＢコネクタ対、５０１ａ…オス側ＵＳＢコネクタ（ＵＳＢコネクタ）、５０１ｂ…メス側ＵＳＢコネクタ（ＵＳＢコネクタ）、５０３…ＵＳＢ端子、５０３ａ…オスＵＳＢ端子（ＵＳＢ端子）、５０３ｂ…メスＵＳＢ端子（ＵＳＢ端子）
【図１】
2010040317.tif 000003
【図２】
2010040317.tif 000004
【図３】
2010040317.tif 000005
【図４】
2010040317.tif 000006
【図５】
2010040317.tif 000007
【図６】
2010040317.tif 000008
【図７】
2010040317.tif 000009
【図８】
2010040317.tif 000010